(57)【要約】【課題】不織布で形成された濾材を枠体と容易に組み立てることができ、かつ、廃棄時に枠体と容易に分離できるエアフィルタを提供することである。【解決手段】不織布をプリーツ状に折り曲げた濾材２の外周縁に、樹脂を含浸させて温間プレスにより熱硬化と圧縮硬化させた差し込み部２ａ、２ｂを設け、これらの差し込み部２ａ、２ｂを段ボールシートで形成した枠体１の各側板１ａ、１ｂに形成した切り込み７ａ、７ｂに差し込んで係止することにより、濾材２を枠体１と容易に組み立てることができ、かつ、廃棄時には枠体１と容易に分離できるようにした。【選択図】図２
2006026518.tif 000002
【特許請求の範囲】
【請求項１】
シート状の不織布で形成された濾材を、前後面が濾過空気用に開口する枠体に収納して、その外周縁を枠体に係止したエアフィルタにおいて、前記濾材の外周縁の少なくとも一部を、前記枠体に設けた溝に差し込んで係止したことを特徴とするエアフィルタ。
【請求項２】
前記濾材をプリーツ状に折り曲げられたものとし、そのプリーツの上下端となる濾材の外周縁を、前記枠体に設けた溝に差し込んで係止した請求項１に記載のエアフィルタ。
【請求項３】
前記溝に差し込まれる濾材の外周縁を硬化させた請求項１または２に記載のエアフィルタ。
【請求項４】
前記濾材の外周縁を硬化させる手段が、濾材に樹脂を含浸させて熱硬化させるものである請求項３に記載のエアフィルタ。
【請求項５】
前記濾材の外周縁を硬化させる手段が、プレスにより圧縮硬化させるものである請求項３または４に記載のエアフィルタ。
【請求項６】
前記溝に差し込まれる濾材の外周縁に、溝からの抜け止め作用を有する形状を付与した請求項１乃至５のいずれかに記載のエアフィルタ。
【請求項７】
前記枠体を段ボールシートで形成し、前記濾材の外周縁が差し込まれる溝を、前記段ボールシートに切り込みを入れることにより形成した請求項１乃至６のいずれかに記載のエアフィルタ。
【発明の詳細な説明】
【技術分野】
【０００１】
本発明は、シート状の不織布で形成された濾材を、前後面が濾過空気用に開口する枠体に収納したエアフィルタに関する。
【背景技術】
【０００２】
空調や換気用等に使用されるエアフィルタには、濾紙も含めたシート状の不織布で形成された濾材を、前後面が濾過空気用に開口する枠体に収納したものがある。濾材としてはプリーツ状に折り曲げられたものが多く用いられ、枠体は矩形状とされたものが多い。このようなエアフィルタでは、濾材の外周縁を枠体に係止する手段として接着剤が用いられている（例えば、特許文献１参照）。プリーツ状に折り曲げられた濾材を矩形状の枠体に係止する場合は、プリーツの上下端となる濾材の外周縁は、枠体の内面側に流し込まれる接着剤で係止されることが多く、プリーツの左右端となる濾材の外周縁は、直接または他の接着部材を介して枠体の内面側に接着されることが多い。
【０００３】
【特許文献１】特開平８−２０６４３０号公報（第２頁）
【発明の開示】
【発明が解決しようとする課題】
【０００４】
上述した不織布で形成された濾材の外周縁を接着剤で枠体に係止した従来のエアフィルタは、組み立て時に接着剤の枠体からの食み出しを防止するのに手間がかかるとともに、使用後の濾材の廃棄時に濾材を枠体と容易に分離できない問題がある。
【０００５】
そこで、本発明の課題は、不織布で形成された濾材を枠体と容易に組み立てることができ、かつ、廃棄時に枠体と容易に分離できるエアフィルタを提供することである。
【課題を解決するための手段】
【０００６】
上記の課題を解決するために、本発明は、シート状の不織布で形成された濾材を、前後面が濾過空気用に開口する枠体に収納して、その外周縁を枠体に係止したエアフィルタにおいて、前記濾材の外周縁の少なくとも一部を、前記枠体に設けた溝に差し込んで係止した構成を採用した。
【０００７】
すなわち、不織布で形成された濾材の外周縁の少なくとも一部を、枠体に設けた溝に差し込んで係止することにより、濾材を枠体と容易に組み立てることができ、かつ、廃棄時には枠体と容易に分離できるようにした。
【０００８】
前記濾材をプリーツ状に折り曲げられたものとした場合は、そのプリーツの上下端となる濾材の外周縁を、前記枠体に設けた溝に差し込んで係止するとよい。
【０００９】
前記溝に差し込まれる濾材の外周縁を硬化させることにより、濾材の外周縁を枠体に設けた溝に容易に差し込むことができる。
【００１０】
前記濾材の外周縁を硬化させる手段としては、濾材に樹脂を含浸させて熱硬化させる手段を採用することができる。
【００１１】
前記濾材の外周縁を硬化させる手段としては、プレスにより圧縮硬化させる手段も採用することができる。
【００１２】
前記溝に差し込まれる濾材の外周縁に、溝からの抜け止め作用を有する形状を付与することにより、材の外周縁を確実に枠体に抜け止めすることができる。
【００１３】
前記枠体を段ボールシートで形成し、前記濾材の外周縁が差し込まれる溝を、前記段ボールシートに切り込みを入れて形成することにより、濾材の外周縁が差し込まれる溝を容易に形成することができる。
【発明の効果】
【００１４】
本発明のエアフィルタは、不織布で形成された濾材の外周縁の少なくとも一部を、枠体に設けた溝に差し込んで係止するようにしたので、濾材を枠体と容易に組み立てることができ、かつ、廃棄時には枠体と容易に分離することができる。
【００１５】
前記溝に差し込まれる濾材の外周縁を硬化させることにより、濾材の外周縁を枠体に設けた溝に容易に差し込むことができる。
【００１６】
前記溝に差し込まれる濾材の外周縁に、溝からの抜け止め作用を有する形状を付与することにより、材の外周縁を確実に枠体に抜け止めすることができる。
【００１７】
前記枠体を段ボールシートで形成し、濾材の外周縁が差し込まれる溝を、段ボールシートに切り込みを入れて形成することにより、濾材の外周縁が差し込まれる溝を容易に形成することができる。
【発明を実施するための最良の形態】
【００１８】
以下、図面に基づき、本発明の実施形態を説明する。このエアフィルタは、図１および図２に示すように、前後面が濾過空気用に開口した矩形状の枠体１に、不織布をプリーツ状に折り曲げた濾材２を、枠体１の前後面の開口に向けて収納したものであり、枠体１は複層の段ボールシートで形成され、濾材２の前後面にはプリーツ間の間隔を保持するビード３が設けられている。
【００１９】
前記枠体１は、上下の側板１ａと左右の側板１ｂの突き合わせ端部に設けられた凹部４と凸部５を嵌め合わせることにより組み立てられ、各側板１ａ、１ｂの突き合わせコーナ部で前後に設けられた各凹段差部６に、枠体１を補強する段ボールシート製のコーナ片１ｃが嵌め込まれている。また、上下の側板１ａの内面には、後述する濾材２の外周縁の差し込み部２ａが差し込まれるジグザグ状の切り込み７ａが入れられ、左右の側板１ｂの内面には、差し込み部２ｂが差し込まれる直線状の切り込み７ｂが入れられている。
【００２０】
前記濾材２のプリーツの上下端となる外周縁には、樹脂を含浸させて温間プレスすることにより熱硬化と圧縮硬化させた差し込み部２ａが設けられ、プリーツの左右端となる外周縁には、枠体１と直交するように折り曲げられ、同じく樹脂含浸と温間プレスで熱硬化と圧縮硬化させた差し込み部２ｂが設けられている。
【００２１】
図３（ａ）に示すように、差し込み部２ａの先端部は、側板１ａの切り込み７ａに差し込まれたときに抜け止めされるように、矢尻状断面に形成されている。図示は省略するが、枠体１と直交するように折り曲げられた差し込み部２ｂの先端部も、差し込み部２ａと同様に矢尻状断面に形成されている。
【００２２】
図３（ｂ）、（ｃ）、（ｄ）、（ｅ）は、前記差し込み部２ａの変形例を示す。図３（ｂ）は、差し込み部２ａを濾材２の片面側へ寄せて、先端部を片矢尻状断面としたもの、図３（ｃ）は、差し込み部２ａの深さ方向に鋸歯状の凹凸を付与したもの、図３（ｄ）は、差し込み部２ａの先端部を円形断面としたもの、図３（ｅ）は差し込み部２ａの先端を鋭角にして差し込みやすくしたものである。これらの各変形例は、いずれも差し込み部２ａを折り曲げれば、差し込み部２ｂの変形例とすることができる。
【００２３】
上述した実施形態では、枠体を段ボールシートで形成して、濾材の外周縁を差し込む溝を切り込みで形成したが、枠体は金属板やプラスチック板で形成してもよく、濾材の外周縁を差し込む溝は、溝を形成した別体の溝部材を枠体の内面に取り付けるようにしてもよい。
【００２４】
また、濾材の外周縁に設ける差し込み部は、必ずしも全周に設ける必要はなく、例えば、プリーツの上下端となる外周縁にのみ差し込み部を設けて、プリーツの左右端となる外周縁は枠体に接着等で係止することもできる。さらに、差し込み部の形状は、実施形態や変形例のものに限定されることはなく任意の形状とすることができ、溝に沿う長手方向で差し込み深さが変化する凹凸部を設け、その凸部に鉤状等の引っ掛かり形状を設けることもできる。
【図面の簡単な説明】
【００２５】
【図１】エアフィルタの実施形態を示す外観斜視図
【図２】図１の分解斜視図
【図３】ａは図２の濾材の差し込み部を示す断面図、ｂ、ｃ、ｄ、ｅはそれぞれａの変形例を示す断面図
【符号の説明】
【００２６】
１  枠体
１ａ、１ｂ  側板
１ｃ  コーナ片
２  濾材
２ａ、２ｂ  差し込み部
３  ビード
４  凹部
５  凸部
６  凹段差部
７ａ、７ｂ  切り込み
【図１】
2006026518.tif 000003
【図２】
2006026518.tif 000004
【図３】
2006026518.tif 000005